(57)【要約】【課題】使用済みのコンテナを各ユーザから回収し、回収材を再利用して新たな原料を加えて同じコンテナをリサイクル成形し、再製品化して各ユーザに販売するといったコンテナの物流形態を確立する。【解決手段】使用済みコンテナの各ユーザからの回収、再製品化、販売といったコンテナのリサイクルを一元管理する管理サーバ１１と各ユーザのそれぞれのユーザ端末１２とが通信ネットワークＮを介して接続されたシステムであって、管理サーバ１１は、ユーザ端末１２から送信されてくる新たなコンテナの注文依頼情報に基づき、同じユーザから回収した使用済みコンテナの再利用可能な量と新たなコンテナの注文量とに基づいて当該ユーザに対するリサイクルコンテナ１の販売価格を決定する。【選択図】  図１
2004292020.tif 000002
【特許請求の範囲】
【請求項１】
使用済みのコンテナを各ユーザから回収し、回収したコンテナから生成した回収材を再利用して新たな原料を加えて同じコンテナをリサイクル成形し、再製品化して各ユーザに販売するといったコンテナの物流形態に適用し、コンピュータシステムにより使用済みコンテナの各ユーザからの回収、再製品化、販売といったコンテナのリサイクルを管理するコンテナリサイクル方法であって、
前記リサイクルコンテナは、回収材を内部のコア層に使用し、表面部のスキン層を新原料でサンドイッチ状に成形して再製品化したものであり、このリサイクルコンテナを使用済みコンテナを提供したユーザに優先して販売することを特徴とするコンテナリサイクル方法。
【請求項２】
ユーザからの使用済みコンテナの回収依頼に対し、回収する使用済みコンテナがマテリアルリサイクル材として再利用可能であるか否かを判断する段階と、
前記ユーザからの新たなコンテナの注文依頼に対し、回収した使用済みコンテナの再利用可能な量と新たなコンテナの注文量とに基づいてリサイクルコンテナの販売価格を決定する段階とを備えたことを特徴とする請求項１に記載のコンテナリサイクル方法。
【請求項３】
使用済みのコンテナを各ユーザから回収し、回収したコンテナから生成した回収材を再利用して新たな原料を加えて同じコンテナをリサイクル成形し、再製品化して各ユーザに販売するといったコンテナの物流形態において、使用済みコンテナの各ユーザからの回収、再製品化、販売といったコンテナのリサイクルを一元管理する管理サーバと前記各ユーザのそれぞれのユーザ端末とが通信ネットワークを介して接続されたコンテナリサイクルシステムであって、
前記リサイクルコンテナは、回収材を内部のコア層に使用し、表面部のスキン層を新原料でサンドイッチ状に成形して再製品化したものであり、
前記管理サーバは、任意のユーザ端末から送信されてくる使用済みコンテナの回収依頼情報に基づいて、回収する使用済みコンテナがマテリアルリサイクル材として再利用可能であるか否かを判断する機能と、前記ユーザ端末から送信されてくる新たなコンテナの注文依頼情報に基づき、同じユーザから回収した使用済みコンテナの再利用可能な量と新たなコンテナの注文量とに基づいて当該ユーザに対するリサイクルコンテナの販売価格を決定する機能とを備えたことを特徴とするコンテナリサイクルシステム。
【請求項４】
前記管理サーバは、回収した使用済みコンテナから得られ、新たなコンテナを製造するための材料として使用されなかったマテリアルリサイクル材の色と重量とを在庫として管理する機能を備えており、任意のユーザから回収した使用済みコンテナの色と新たに注文されたコンテナの色とが異なるために、回収した使用済みコンテナを新たに注文されたコンテナを製造するときのコア層に使用できない場合には、在庫管理しているマテリアルリサイクル材の中から使用可能なマテリアルリサイクル材を選択して使用することを特徴とする請求項３に記載のコンテナリサイクルシステム。
【発明の詳細な説明】
【０００１】
【発明の属する技術分野】
本発明は、使用済みコンテナの各ユーザからの回収、再製品化、各ユーザへの販売といったコンテナのリサイクルを管理するコンテナリサイクル方法及びコンテナリサイクルシステムに関する。
【０００２】
【従来の技術】
図５は、使用済みの産業用コンテナの従来の廃棄経路を示している。
【０００３】
すなわち、産業用コンテナを使用しているユーザ１０１では、使用済みとなった廃棄コンテナが発生した場合、これらを社内に蓄積しておき、規定の数量になると、近隣の産業廃棄物処理業者１０２に廃棄を依頼（符号１１１により示す）していた。
【０００４】
一方、産業廃棄物処理業者１０２は、再生できる廃棄コンテナについてはこれを回収し（符号１１２により示す）、マテリアルリサイクル材として、コンテナ以外の成形メーカ等１０３に販売（符号１１３により示す）していた。この場合、産業用コンテナは色が多岐にわたり、ユーザの色に対する要望がつかめないため、回収したそのままの色での活用ニーズはなく、また回収した材料を別の色に着色しても外観の良い色目とはならず、結果、回収材そのもののニーズは少なかった。そのため、マテリアルリサイクル材は黒色に着色して販売されていた。黒色のニーズはあるものの限定された分野であり、市場自体が小さく、マテリアルリサイクル材としての拡大はなかった。従って、本来マテリアルリサイクル可能な材料も廃棄処分にしていた。
【０００５】
従来、このようなユーザ１０１と産業廃棄物処理業者１０２とをネットワークで接続し、資源の再利用を図ることで、ゴミの発生を少なくしたリサイクルシステムが提案されている（例えば、特許文献１参照）。このリサイクルシステムは、廃棄するものとリサイクルするものとを効率よく分けることで、資源の再利用化を促進することを目的としている。
【０００６】
ところで、上記したように産業用コンテナは種々の色のものが市場に提供されている。そのため、これまでの使用済みコンテナによるマテリアルリサイクル材は、ユーザ側での使用上の都合や、上記の着色（黒）等の理由からリペレット化処理が必要であり、加工費用がかかるため、マテリアルリサイクル材としての市場での価格は、新しい樹脂の価格とほとんど変わらず、これを購入する成形メーカ側のメリットはほとんどなかった。
【０００７】
一方、このようなマテリアルリサイクル材を内部のコア層に使用し、新しい樹脂を表面部のスキン層に使用してサンドイッチ成形する技術は従来から提案されている（例えば、非特許文献１参照）が、マテリアルリサイクル材の色と表層の色との関係で、内層が透けて見える、表層の色目が内層の色目の影響で色が変わって見える等の課題があるため、現在のところ、このようなサンドイッチ成形によるリサイクルコンテナは市場に提供されていない。
【０００８】
【特許文献１】
特開２００２−３６６７８７号公報
【非特許文献１】
出典名：「射出成形辞典」，８．５多材質成形技術，８．５．２サンドイッチ成形技術（ｐ．５７３〜５７４），発行元：産業調査会
【０００９】
【発明が解決しようとする課題】
このように、従来、使用済みコンテナは一般的に「産業廃棄物」となり、環境負荷が大きく、処理費用がかかっていた。また、一部のコンテナはリサイクルされるものの、その他の大部分の使用済みコンテナは、コンテナユーザが運送費用や廃棄処理費用を負担して廃棄するしか方法がなかった。
【００１０】
本発明はかかる実情に鑑みて創案されたもので、その目的は、使用済みのコンテナを各ユーザから回収し、回収材を再利用して新たな原料を加えて同じコンテナをリサイクル成形し、再製品化して各ユーザに販売するといったコンテナの物流形態を確立することにより、環境負荷を軽減するとともに、コンテナを使用するユーザ側とコンテナを回収して再製品化する例えばコンテナリサイクルセンター側の双方においてメリットのあるコンテナリサイクル方法及びコンテナリサイクルシステムを提供することにある。
【００１１】
【課題を解決するための手段】
本発明のコンテナリサイクル方法は、使用済みのコンテナを各ユーザから回収し、回収したコンテナから生成した回収材を再利用して新たな原料を加えて同じコンテナをリサイクル成形し、再製品化して各ユーザに販売するといったコンテナの物流形態に適用し、コンピュータシステムにより使用済みコンテナの各ユーザからの回収、再製品化、販売といったコンテナのリサイクルを管理するコンテナリサイクル方法であって、前記リサイクルコンテナは、回収材を内部のコア層に使用し、表面部のスキン層を新原料でサンドイッチ状に成形して再製品化したものであり、このリサイクルコンテナを、使用済みコンテナを提供したユーザに優先して販売することを特徴とする。
【００１２】
また、本発明のコンテナリサイクルシステムは、使用済みのコンテナを各ユーザから回収し、回収したコンテナから生成した回収材を再利用して新たな原料を加えて同じコンテナをリサイクル成形し、再製品化して各ユーザに販売するといったコンテナの物流形態において、使用済みコンテナの各ユーザからの回収、再製品化、販売といったコンテナのリサイクルを一元管理する管理サーバと前記各ユーザのそれぞれのユーザ端末とが通信ネットワークを介して接続されたコンテナリサイクルシステムであって、前記リサイクルコンテナは、回収材を内部のコア層に使用し、表面部のスキン層を新原料でサンドイッチ状に成形して再製品化したものであり、前記管理サーバは、任意のユーザ端末から送信されてくる使用済みコンテナの回収依頼情報に基づいて、回収する使用済みコンテナがマテリアルリサイクル材として再利用可能であるか否かを判断する機能と、前記ユーザ端末から送信されてくる新たなコンテナの注文依頼情報に基づき、同じユーザから回収した使用済みコンテナの再利用可能な量と新たなコンテナの注文量とに基づいて当該ユーザに対するリサイクルコンテナの販売価格を決定する機能とを備えたことを特徴とする。
【００１３】
このような特徴を有する本発明によれば、回収材を内部のコア層に使用し、表面部のスキン層に新原料を使用して、サンドイッチ成形によりリサイクルコンテナを製造し、これをユーザに納品する、といった物流形態となっている。
【００１４】
サンドイッチ成形技術により、回収した使用済みコンテナから生成したマテリアルリサイクル材を内部のコア層に使用し、新しい樹脂を表面部のスキン層に使用することにより、新たなリサイクルコンテナを製造することができる。そして、このリサイクルコンテナを、使用済みコンテナを提供したユーザに優先して販売することにより、ユーザにとっては使用済みコンテナを産業廃棄物として廃棄するための費用が不要となり、また、コンテナのリサイクルを行う例えばコンテナリサイクルセンター側にとっても、マテリアルリサイクル材料を使用する分、材料費が軽減できるため、リサイクルコンテナをユーザ側に安価に提供することが可能となる。
【００１５】
この場合、使用済みのコンテナは、その使用用途やコンテナ仕様（色、ラベルの有無、リベットの有無、金属ボルトの有無等）により、全ての使用済みコンテナが必ずしも再利用可能であるとは限らない。そこで、本発明のコンテナリサイクル方法では、ユーザからの使用済みコンテナの回収依頼に対し、回収する使用済みコンテナがマテリアルリサイクル材として再利用可能であるか否かを判断する段階を備えている。この判断は、先程の使用用途やコンテナ仕様を始め、その保管場所なども考慮して判断される。そして、確実に再利用可能な使用済みコンテナのみを回収し、その他の使用済みコンテナは従来通り産業廃棄物として処分することになる。
【００１６】
また、本発明のコンテナリサイクル方法によれば、ユーザからの新たなコンテナの注文依頼に対し、回収した使用済みコンテナの再利用可能な量と新たなコンテナの注文量とに基づいてリサイクルコンテナの販売価格を決定する段階を備えている。すなわち、ユーザは、使用済みコンテナの回収に際してコンテナリサイクルセンター側に買い取ってもらう費用が発生しない上に、新たにリサイクルコンテナを購入するときには、ユーザが提供した使用済みコンテナの量が考慮された販売価格となるため、その分、リサイクルコンテナを安く購入することができるというメリットがある。
【００１７】
また、本発明のコンテナリサイクルシステムによれば、前記管理サーバは、回収した使用済みコンテナから得られ、新たなコンテナを製造するための材料として使用されなかったマテリアルリサイクル材の色と重量とを在庫として管理する機能を備えており、任意のユーザから回収した使用済みコンテナの色と新たに注文されたコンテナの色とが異なるために、回収した使用済みコンテナを新たに注文されたコンテナを製造するときのコア層に使用できない場合には、在庫管理しているマテリアルリサイクル材の中から使用可能なマテリアルリサイクル材を選択して使用するようになっている。このように、各色のマテリアルリサイクル材を保管して在庫として管理することにより、回収依頼のあった使用済みコンテナの色と、購入依頼のあったリサイクルコンテナの色とが異なる場合でも、在庫の中から利用可能な色のマテリアルリサイクル材を選択して、サンドイッチ成形によりリサイクルコンテナを製造することができる。これにより、多くのユーザからの回収依頼やリサイクルコンテナの購入依頼に対して、在庫切れや部材切れ等を生じることなく、柔軟に対応することができる。
【００１８】
【発明の実施形態】
以下、本発明の実施の形態について、図面を参照して説明する。
【００１９】
図２は、本発明のコンテナリサイクル方法及びコンテナリサイクルシステムが適用されるコンテナの物流形態を簡略化して示した説明図である。
【００２０】
すなわち、各ユーザＢ，Ｂ・・・側で使い古されて使用済みとなった樹脂製のコンテナ１，１・・・は、各ユーザＢ，Ｂ・・・からの回収要求により、コンテナリサイクルセンターＡに搬入され、ここで粉砕・洗浄あるいは粉砕・洗浄・リペレット処理が施されてフレーク状あるいはペレット状の回収材として再資源化（符号２１により示す）される。この回収材は、例えば色ごとに区別され、図示しない保管庫に各色ごとにマテリアルリサイクル材として保管される。この後、任意のユーザＢからリサイクルコンテナの購入要求があると、コンテナリサイクルセンターＡでは、回収材を内部のコア層に使用し、表面部のスキン層に新原料を使用して、サンドイッチ成形によりリサイクルコンテナを製造し（符号２２により示す）、これをユーザＢに納品する、といった物流形態となっている。
【００２１】
ここでリサイクルコンテナにおけるマテリアルリサイクル材の使用量は、コンテナ全体重量の２０％以上とする。コンテナの表層部分はユーザの購入希望色の新樹脂を使用し、コア層にはこの新樹脂の色に適合する色（この適合については後述する）のマテリアルリサイクル樹脂を使用する。この場合、回収要求を行ったユーザＢの使用済みコンテナの色と、同じユーザＢが同時に行った購入要求のコンテナの色が同じ、もしくは適合する色である場合には、同じユーザＢから回収した使用済みコンテナを利用してリサイクルコンテナを成形し、これを同じユーザＢに納入することができる。
【００２２】
図３は、製品色に対する回収材の使用可能な色の組み合わせを示す色データベースを示している。この色データベースは、後述する管理サーバ１１に格納されている。
【００２３】
この色データベースは、各製品色（表面の色目）を横方向に配置し、回収材の各色を縦方向に配置した表形式のテーブルとなっており、各製品色（コンテナの表層部分の色）に対してコア層として使用可能な回収材の色の所に「○」が記入され、使用不可能な回収材の色の所に「×」が記入されいてる。例えば、製品色が「オレンジ」の場合、コア層として使用可能な回収材の色は「イエロー」、「オレンジ」、「ナチュラル」、「透明」の４種類であり、その他の色の回収材は使用不可能となっている。
【００２４】
なお、コンテナリサイクルセンターＡへの使用済みコンテナの搬入は、例えば回収業者が行ってもよいし、ユーザＢ側が独自に搬送して持ち込んでもよい。
【００２５】
図１は、このようなコンテナ物流形態において、コンテナのリサイクルを実現するためのコンテナリサイクルシステムの概略構成を示している。
【００２６】
このコンテナリサイクルシステムは、使用済みコンテナの各ユーザからの回収、再製品化、販売といったコンテナのリサイクルを一元管理するコンテナリサイクルセンターＡに設置された管理サーバ１１と、各ユーザＢ，Ｂ・・・のそれぞれのユーザ端末１２，１２・・・とが、例えばインターネットや専用回線等の通信ネットワークＮを介して接続された構成となっている。
【００２７】
管理サーバ１１は、通信ネットワークＮを経由して各ユーザＢ，Ｂ・・・のユーザ端末１２，１２・・・から送られてくる使用済みコンテナの回収依頼に対し、回収する使用済みコンテナがマテリアルリサイクル材として再利用可能であるか否かを判断する機能と、同じユーザ端末１２から送られてくる同じユーザＢからの新たなコンテナの注文依頼に対し、回収した使用済みコンテナの再利用可能な量と新たなコンテナの注文量とに基づいてリサイクルコンテナの販売価格を決定する機能とを備えている。すなわち、本実施形態では、ユーザＢからの回収依頼や購入依頼を通信ネットワークＮを介して行う構成としている。
【００２８】
また、管理サーバ１１は、回収した使用済みコンテナから得られたマテリアルリサイクル材のうち、新たなコンテナを製造するための材料として使用されなかったマテリアルリサイクル材の色と重量とを在庫として管理する機能も備えている。そして、任意のユーザから回収した使用済みコンテナの色と新たに注文されたコンテナの色とが異なるために、回収した使用済みコンテナを新たに注文されたコンテナを製造するときのコア層に使用できない場合には、在庫管理しているマテリアルリサイクル材の中から使用可能なマテリアルリサイクル材を選択するようになっている。
【００２９】
図４は、各ユーザ端末１２からの要求により、管理サーバ１１から各ユーザ端末１２に送信されるコンテナの回収依頼及び購入依頼の情報入力画面例を示している。
【００３０】
すなわち、回収依頼時及び購入依頼時には、ユーザ端末１２から管理サーバ１１に対して回収依頼要求及び購入依頼要求を行うことにより、管理サーバ１１からユーザ端末１２に対して、図４に示す情報入力画面８０が送信される。ユーザＢは、この情報入力画面８０に必要事項を記入して、管理サーバ１１に送信することになる。
【００３１】
この情報入力画面８０は、回収依頼の項目として、廃棄予定コンテナの数量８００１、コンテナの重量８００２、コンテナの種類８００３、コンテナの材質８００４、使用用途８００５、使用年数８００６、廃棄予定コンテナの詳細仕様８００７、廃棄コンテナの引き取り方法８００８の各項目がある。また、購入依頼の項目として、コンテナサイズ８０１１、容積８０１２、寸法（外寸、内寸、有効内寸等を含む）８０１３、購入予定数量８０１４、色目８０１５、付属品８０１６の各項目がある。
【００３２】
ユーザＢは、これらの項目に必要事項を順次入力する。
【００３３】
この例では、回収依頼の各項目に、廃棄予定コンテナの数量「１０００個」、コンテナの重量（個）「１０００ｇ」、コンテナの材質「１．ＰＰ（ポリプロピレン）」、使用用途「２．電気・電子部品、１３．工場内使用」、使用年数「約５年」、廃棄コンテナの引き取り方法「１．持ち込み」と入力されている。また、廃棄予定コンテナの詳細仕様８００７については、コンテナの色が「１２．ライトグリーン」と入力されており、その他の仕様については全て「無し」と入力されている。なお、数値以外の入力については、図示は省略しているが各番号の前にチェックボックスを設けておき、そのチェックボックスにチェックを入れることで入力を行う。
【００３４】
一方、購入依頼の各項目には、コンテナサイズ「Ｔ−２０」、容積「２０リッター」、寸法「４５×３０×１５（ｃｍ）」、購入予定数量「１０００個」、色目「１２．ライトグリーン」、付属品「４．なし」と入力されている。
【００３５】
すなわち、この例では、廃棄するコンテナの数量及び色目と、購入するコンテナの数量及び色目とが同一の場合を例示している。ただし、必ずしもこれらの条件が同じである必要はない。
【００３６】
ユーザＢは、入力内容の確認後、図示しない「送信」ボタンを操作する。これにより、図４に示す情報入力画面８０に入力された内容の情報が管理サーバ１１に送信される。
【００３７】
管理サーバ１１では、受け取った回収依頼情報に基づいて、回収する使用済みコンテナがマテリアルリサイクル材として再利用可能であるか否かを判断する。具体的には、使用用途が「屋外使用」である場合、使用用途が「屋内使用」であり、かつ、使用年数が「２０年以上」である場合などは、マテリアルリサイクル材として再利用できないと判断する。また、詳細仕様においては、「発泡体が付いている」、「ボルトが付属している」といった場合にも、、マテリアルリサイクル材として再利用できないと判断する。さらに、購入予定数量に対して廃棄コンテナの数量が２倍以上である場合、マテリアルリサイクル材がユーザからの購入予定のコンテナの製造に使用できない場合、マテリアルリサイクル材が当該ユーザＢ以外のユーザの製品に使用できない場合なども、マテリアルリサイクル材として再利用できないと判断する。ただし、これらの判断基準は一例であり、必要に応じて設定すればよい。
【００３８】
なお、購入依頼のあったコンテナの色と回収依頼のあった廃棄コンテナの色とが違う場合には、図３に示した色データベースを参照して、回収材がマテリアルリサイクル材として使用可能かどうかを判断する。ただし、回収材である廃棄コンテナが、同じユーザの購入依頼のあったコンテナの製造にコア層として使用できない場合であっても、これをもって再利用できないと判断する必要はない。この場合には、回収した廃棄コンテナをマテリアルリサイクル材に生成し、色ごとに在庫として保管しておけばよい。これにより、別のユーザから、今回保管したマテリアルリサイクル材をコア層として使用可能なコンテナの購入依頼があった場合には、このマテリアルリサイクル材を使用してリサイクルコンテナを製造することができる。このように、マテリアルリサイクル材を色ごとに在庫として保管しておくことにより、各ユーザＢ，Ｂ・・・からの購入依頼に対して柔軟かつ迅速に対応することができる。
【００３９】
以上の判断の結果、図４に示す例ではマテリアルリサイクル材として再利用可能と判断される。
【００４０】
次に、管理サーバ１１では、上記の判断結果に基づき、回収依頼及び購入依頼のあったユーザＢに対してその回答を送信する。
【００４１】
この場合の回答は、回収したコンテナのマテリアルリサイクルにかかる費用、ユーザＢの購入予定のコンテナに使用するマテリアルリサイクル材の重量、購入予定コンテナの見積金額及び納期である。
【００４２】
ここで、コンテナのマテリアルリサイクルにかかる費用については、今回の場合マテリアルリサイクルの再利用が可能であるので、「０円」となる。なお、再利用が可能でない場合には、従来通り廃棄費用が発生する。また、再利用可能なものと廃棄するものとがある場合には、廃棄するものについてのみ廃棄費用が発生する。
【００４３】
また、ユーザＢの購入予定のコンテナに使用するマテリアルリサイクル材の重量については、本実施形態では、製造するコンテナの総重量の半分以下（５０％以下）、好ましくは３０％程度とする。従って、製造するコンテナ１個の重量が１０００ｇである場合には、マテリアルリサイクル材の使用量を３００ｇとする。
【００４４】
また、購入予定コンテナの見積金額については、使用するマテリアルリサイクル材の量に応じて計算する。例えば、全て新樹脂で成形したときのコンテナ１個の金額を５００円とし、新樹脂１０ｇの購入費に対してマテリアルリサイクル材１０ｇを製造する費用が２円安い場合には、マテリアルリサイクル材を１０ｇ（１％）使用するごとに１円を割り引くことにする。これにより、マテリアル材料を３００ｇ（３０％）使用している場合のコンテナ１個の購入金額は４７０円となる。
【００４５】
すなわち、この例に従えば、マテリアルリサイクル材を使用することにより、ユーザＢ及びコンテナリサイクルセンターＡの双方において金額的なメリットが生じることになる。具体的には、コンテナリサイクルセンターＡ側にとっては、コンテナ１個の製造原価が全て新樹脂を使用する場合に比べて３０円安くなるというメリットがあり、これを購入するユーザＢにとっても、全て新樹脂で製造されたコンテナを購入する場合に比べて購入金額が３０円安くなるというメリットがある。
【００４６】
ただし、計算方法についてはあくまで一例であり、このような計算方法に限定されるわけではない。
【００４７】
また、納期については、回収依頼をしてきたユーザＢに持ち込み日時を問い合わせる（または、ユーザＢが引き取りを希望している場合には引き取り日時を問い合わせる）ことによって、コンテナ成形ラインの生産計画を立案し、その生産計画に基づいて納期を回答することになる。このような生産計画の立案については、従来から種々の方法が提案されているので、ここでは詳細な説明を省略する。
【００４８】
この後、コンテナリサイクルセンターＡでは、回収した廃棄コンテナを粉砕・洗浄して、あるいは粉砕・洗浄・リペレット処理を施してフレーク状のマテリアルリサイクル材として再資源化する。そして、立案した生産計画に基づいて、このマテリアルリサイクル材を内部のコア層に使用（ここでは、全体の３０％に相当する量を使用）し、表面部のスキン層に新原料を使用して、サンドイッチ成形によりリサイクルコンテナを製造し、再び同じユーザＢに納品する。これにより、コンテナリサイクルの物流システムが完成する。
【００４９】
【発明の効果】
以上説明したように、本発明のコンテナリサイクル方法及びコンテナリサイクルシステムによれば、回収した使用済みコンテナから生成したマテリアルリサイクル材を内部のコア層に使用し、新しい樹脂を表面部のスキン層に使用することにより、新たなリサイクルコンテナを製造し、このリサイクルコンテナを、使用済みコンテナを提供したユーザに優先して販売することにより、ユーザにとっては使用済みコンテナを産業廃棄物として廃棄するための費用が不要となり、また、コンテナのリサイクルを行う例えばコンテナリサイクルセンター側にとっても、マテリアルリサイクル材料を使用する分、材料費が軽減できるため、リサイクルコンテナをユーザ側に安価に提供することが可能となる。
【００５０】
また、本発明によれば、ユーザからの新たなコンテナの注文依頼に対し、回収した使用済みコンテナの再利用可能な量と新たなコンテナの注文量とに基づいてリサイクルコンテナの販売価格を決定する構成としている。すなわち、ユーザは、使用済みコンテナの回収に際してコンテナリサイクルセンター側に買い取ってもらう費用が発生しない上に、新たにリサイクルコンテナを購入するときには、ユーザが提供した使用済みコンテナの量が考慮された販売価格となるため、その分、リサイクルコンテナを安く購入することができるというメリットがある。
【００５１】
さらに、本発明によれば、多くのユーザからの回収依頼やリサイクルコンテナの購入依頼に対して、在庫切れや部材切れ等を生じることなく、柔軟に対応することができる。
【図面の簡単な説明】
【図１】本発明のコンテナリサイクル方法を実現するためのコンテナリサイクルシステムの概略構成図である。
【図２】本発明のコンテナリサイクル方法及びコンテナリサイクルシステムが適用されるコンテナの物流形態を簡略化して示した説明図である。
【図３】製品色に対する回収材の使用可能な色の組み合わせを示す色データベースのデータ構成例を示す説明図である。
【図４】各ユーザ端末からの要求により、管理サーバから各ユーザ端末に送信されるコンテナの回収依頼及び購入依頼の情報入力画面例を示す説明図である。
【図５】使用済みの産業用コンテナの従来の廃棄経路を示す説明図である。
【符号の説明】
１１  管理サーバ
１２  ユーザ端末
Ｎ  通信ネットワーク
Ａ  コンテナリサイクルセンター
Ｂ  ユーザ
【図１】
2004292020.tif 000003
【図２】
2004292020.tif 000004
【図３】
2004292020.tif 000005
【図４】
2004292020.tif 000006
【図５】
2004292020.tif 000007